(57)【特許請求の範囲】
【請求項１】
統合されたトルクフィーラを備えた、無段階に調節可能な円錐円板巻掛け伝動装置であって、巻掛け手段（１８）が巻掛けられ、軸に回転不能に結合された２つの円錐円板対を有し、該円錐円板対が少なくとも１つの軸方向に調節可能な円錐円板を有し、軸方向に調節可能な円錐円板に隣接する圧着室（５６）において作用する圧力に、巻掛け伝動装置により伝達されるトルクに相応して影響を及ぼすトルクフィーラ（２０，３４，４２）が設けられており、該トルクフィーラ（２０，３４，４２）が異なる、互いに相対的に移動する２つの構成部分（２０，３４）に構成された連行面（３８，４０）に支持されて、円錐円板に作用するトルクを伝達する転動体（４２）を有しており、前記両構成部分がトルク変化に際して前記連行面（３８，４０）に沿った前記転動体（４２）の運動によって互いに相対的に運動する形式のものにおいて、前記転動体と前記連行面とが前記圧着室内に配置されており、該転動体がトルク及び伝達比に関連した緊張力を生ぜしめる前記連行面（３８，４０）と協働しており、該転動体が伝達比に関連して該連行面（３８，４０）に沿って移動可能であり、その際に少なくとも、円錐円板対の回転軸線に対し半径方向に移動することを特徴とする、円錐円板巻掛け伝動装置。
【請求項２】
前記転動体（４２）が球であって、相対的な調節が該球によって定められている前記両構成部分（２０，３４）の前記連行面（３８，４０）が、主として半径方向に延びるように形成されている、請求項１記載の伝動装置。
【請求項３】
軸方向に調節可能な円錐円板において、案内面（４６，４８）が形成されかつその間に球が受容されており、該案内面（４６，４８）が円錐円板（４）の調節に際して球を半径方向に移動させる、請求項１又は２記載の伝動装置。
【請求項４】
軸方向に調節可能な円錐円板において、案内面（４６，４８）が形成されかつその間に球が受容されており、該案内面（４６，４８）が円錐円板（４）の調節に際して球を軸方向に移動させる、請求項１又は２記載の伝動装置。
【請求項５】
半径方向で内側の案内面が、調節可能な円錐円板（４）のリング状付加部（４４）の外側に形成されかつ半径方向で外側の案内面が剛性的に又は回転可能に支承された、前記円錐円板（４）に結合された薄板成形部分によって形成されている、請求項２記載の伝動装置。
【請求項６】
前記連行面の一方（３８）が前記軸（５）に剛性的に結合されたシール保持体（２０）に構成され、該シール保持体（２０）が前記軸と共に前記圧着室（５６）を形成しており、半径方向内方に向いた外側の円筒面（２６）を有し、これに沿ってリングシールが介在させられて調節可能な前記円錐円板（４）のリング付加部（２８）が移動可能でありかつ半径方向内側に向いた内側の円筒面を有し、この円筒面に沿ってリングシールが介在させられてフィーラピストン（３４）が軸方向に移動可能であり、該フィーラピストン（３４）の位置が圧着室（５６）からの戻し開口（６２）の開放横断面を決定しており、前記フィーラピストンが前記伝動装置により伝達される入力モーメントで負荷されておりかつ他方の連行面（４０）を有している、請求項１から５までのいずれか１項記載の伝動装置。
【請求項７】
前記フィーラピストン（３４）が周方向で互いに間隔をおいた複数のアーム（３２）を有するように構成されており、該アームが前記シール保持体（２０）に構成された開口（３０）を通って突出しかつトルクを導入するスライド噛合部（５２）を有するリング部分を備えて構成されている、請求項６記載の伝動装置。
【請求項８】
前記シール保持体（２０）の前記開口（３０）が軸に対する前記フィーラピストン（３４）の軸方向の運動性を制限するストッパを形成している、請求項７記載の伝動装置。
【請求項９】
前記圧着室（５６）において圧力が不足する場合に前記フィーラピストン（３４）が前記伝動装置により伝達される入力モーメントの作用のもとで調節可能に構成され、これにより、前記フィーラピストン（３４）が円錐円板に接触させられるように構成されている、請求項６又は７記載の伝動装置。
【請求項１０】
前記アーム（３２）が前記フィーラピストン（３４）に溶接された薄板部分によって形成されている、請求項１から９までのいずれか１項記載の伝動装置。
【請求項１１】
前記リング部分が前記フィーラピストン（３４）と結合された前記アームと共に薄板部分として構成されている、請求項７から１０までのいずれか１項記載の伝動装置。
【請求項１２】
前記シール保持体（２０）が調節可能な前記円錐円板の軸方向の移動性を制限するストッパを形成している、請求項６から９までのいずれか１項記載の伝動装置。
【請求項１３】
前記フィーラピストン（３４）の、前記圧着室（５６）内の圧力で負荷された有効な面が、前記シール保持体（２０）と軸（５）の外周面とにおいて該フィーラピストン（３４）を案内する案内により規定されている、請求項６から１１までのいずれか１項記載の伝動装置。
【請求項１４】
前記案内がシール面でもある、請求項１３記載の伝動装置。
【請求項１５】
前記転動体（４２）が伝達比を変えた場合に半径方向に移動するように前記連行面（３８，４０）が構成されている、請求項１から１４までのいずれか１項記載の伝動装置。
【請求項１６】
前記トルクフィーラの転動体（４２）が球によって形成されており、該球が軸方向で向き合った、半径方向でほぼＶ字形に形成された２つの溝に受容されており、該溝の側面の該球と接触する部分が係合線として形成され、この係合線が少なくともほぼ平行であるように前記溝の側面に形成される、請求項１５記載の伝動装置。
【請求項１７】
前記トルクフィーラが入力側の円錐円板対に設けられている、請求項１から１６までのいずれか１項記載の伝動装置。
【請求項１８】
圧着装置として構成されたトルクフィーラが圧力媒体で負荷されたピストンシリンダユニットを有し、このピストンシリンダユニットにおいてトルク及び伝達比に関連した圧力が生ぜしめられる、請求項１５から１７までのいずれか１項記載の伝動装置。
【請求項１９】
前記転動体（４２）が前記トルクフィーラと協働する円錐円板対の軸方向に移動可能な円錐円板により半径方向で案内されている、請求項１５から１８までのいずれか１項記載の伝動装置。
【請求項２０】
前記転動体（４２）の案内が個々の転動体を掴む保持器で行なわれている、請求項１５から１９までのいずれか１項記載の伝動装置。
【請求項２１】
互いに調節可能な２つの円錐円板対−入力側と出力側の円錐円板対−を有し、一方の円錐円板対の少なくとも軸方向に移動可能な円錐円板がピストン／シリンダユニットによって負荷可能であり、該ピストン／シリンダユニットに負荷及び伝達比に関連した圧力が供給可能であって、該圧力がポンプを介して圧力媒体を供給できるトルクフィーラから送られるようになっており、該トルクフィーラが少なくとも１つの圧力制御弁と転動体及び該転動体と協働する転動面とを有し、前記転動体と前記転動面とによって、前記圧力制御弁が負荷及び伝達比に関連した圧力を生ぜしめるために調節されかつトルクが前記円錐円板対に伝達される形式のものにおいて、一方の円錐円板対の両方の円板が軸と回動不能に結合されておりかつ前記転動体を介して、円錐円板巻掛け伝動装置によって伝達しようとするすべてのトルクが当該円錐円板対に導入される、請求項１から２０までのいずれか１項記載の伝動装置。
【発明の詳細な説明】
【０００１】
【発明の属する技術分野】
本発明は伝動装置、特に無段階に調節可能な円錐円板巻掛け伝動装置であって、統合されたトルクフィーラを有している形式のものに関する。
【０００２】
特に本発明は、無段階に調節可能な円錐円板巻掛け伝動装置であって、例えば機械的でかつ場合によっては統合されたトルクフィーラを有する形式のものに関する。この伝動装置は、巻掛け手段の巻掛けられた、軸に回転不能に結合された少なくとも２つの円錐円板対から成っている。これらの円錐円板対はそれぞれ１つの軸方向に調節可能な円錐円板と場合によっては１つのトルクフィーラとを有している。このトルクフィーラは少なくとも１つの軸方向に調節可能な円錐円板に隣接する少なくとも１つの圧着室にて作用する圧力に、巻掛け伝動装置によって伝達されるトルクに相応して影響を及ぼす。トルクフィーラは、異なる、互いに相対的に運動可能な構成部分に構成された２つの連行面に支えられて円錐円板に作用するトルクを伝達する転動体を有することができる。この場合、前記構成部分はトルク変動に際して、転動体が連行面に沿って移動することによって互いに相対的に移動することができる。
【０００３】
【従来の技術】
前記円錐円板巻掛け伝動装置は例えばＤＥ４２３４２９４Ａ−１号明細書によって公知である。球として構成された転動体が転動する成形面の一方は、半径方向外側の圧力室と半径方向内側の圧力室とを制限するシール保持体の、調節可能な円錐円板とは反対側に構成されている。前記半径方向外側の圧力室においては調節可能な円錐円板がトルクに関連した圧着力で負荷され、前記半径方向内側の圧力室は当該円錐円板巻掛け伝動装置の伝達比を調節するための圧力で負荷されている。他方の成形面は軸方向でシール保持体の外側に配置された、軸に対して相対的に移動可能なフィーラピストンに構成されている。このフィーラピストンはスライド噛合部を介してトルクで負荷され、移動に際して圧着室に接続された圧力室の流出横断面を制御する。トルクに伝達比に関連して影響を及ぼすためには、調節可能な円錐円板と剛性的に結合された、円錐形の案内面を備えた構成部分に向かって球が付加的に半径方向内方で、ばねリングにより、外方へ押圧される。したがって球は円錐円板の間の間隔が減少させられた場合に、半径方向内方へ押され、立体的に湾曲された成形面の他の領域に沿って転動する。
【０００４】
公知の巻掛け伝動装置は比較的に複雑で、特に統合されたトルクフィーラは数多くの付加的な構成部分と調節可能な円錐円板に配属された圧力室の外に軸方向の構成空間を必要とする。
【０００５】
【発明が解決しようとする課題】
本発明の課題は、統合されたトルクフィーラを有する円錐円板巻掛け伝動装置を改良して、簡単な構造で、特にトルクフィーラの所要スペースが減少させられ、ひいてはコンパクトに構成されるようにすることである。
【０００６】
【課題を解決するための手段】
本発明の課題は請求項１の特徴で解決された。
【０００７】
転動体と連行面とを本発明にしたがって圧着室内に配置することで、伝動装置のきわめてコンパクトな構成形式が達成される。
【０００８】
請求項２の特徴によれば圧着室における圧力は、伝達されたトルクだけに相応して変化させられるのではなく、伝動装置の伝達比もしくは円錐円板対の円錐円板の間の距離にも関連するようになる。
【０００９】
請求項３の特徴は案内面の特に簡単な構成に向けられている。
【００１０】
請求項４は本発明による円錐円板巻掛け伝動装置の有利な構成形態を特徴としている。
【００１１】
請求項５はフィーラピストンの有利な構成に向けられている。請求項６の特徴によれば伝動装置の運転の確実性が改善される。
【００１２】
請求項７の特徴によっては液圧が十分でない場合に円錐円板巻掛け伝動装置の運転が改善される。
【００１３】
請求項８から１０までには本発明による円錐円板巻掛け伝動装置の別の有利な特徴が記載されている。
【００１４】
さらに本発明は、無段階に調節可能な円錐円板巻掛け伝動装置であって、統合されたトルクフィーラを有し、巻掛け手段の巻掛けられた、軸方向に回動不能に結合された２つの円錐円板対を有し、円錐円板対がそれぞれ少なくとも１つの、軸方向に移動可能な円錐円板を備えており、調節可能な円錐円板に隣接する圧着室にて作用する圧力に、巻掛け伝動装置により伝達されるトルクに応じて影響を及ぼすためのトルクフィーラが設けられており、該トルクフィーラが異なる、互いに相対的に運動する構成部分に構成された２つの連行面に支えられて、円錐円板に有効なトルクを伝達するようになっており、前記構成部分がトルクの変化に際して、転動体が連行面に沿って動くことにより、互いに相対的に動くようになっている形式のものに関する。この場合には本発明にしたがって転動体と連行面とが圧着室内に配置されている。
【００１５】
この場合には、転動体が球であって、相対位置が球によって決定される両方の構成部分の連行面がほぼ半径方向及び／又は軸方向に向けられていると有利である。
【００１６】
他の実施例においても、軸方向に調節可能な円錐円板に、球を間に受容する案内面が形成され、この案内面が円錐円板の調節に際して球を半径方向に移動させるように構成されていると有利である。
【００１７】
さらに別の実施例においては、軸方向に調節可能な円錐円板に、球を間に受容する案内面が構成され、この案内面が円錐円板の調節に際して球を軸方向に移動させるように構成されていると有利である。
【００１８】
さらに有利であるのは、半径方向内側の案内面が、調節可能な円錐円板のリング付加部の外側に形成され、半径方向外側の案内面が円錐円板と剛性的に結合された薄板成形体で形成されていることである。
【００１９】
さらに連行面の一方が、軸に剛性的に結合された、該軸と共に圧着室を形成するシール保持体に構成され、半径方向内方へ向いた外側のシリンダ面を有し、該シリンダ面に沿ってリングシールを介在させて、調節可能な円錐円板のリング付加部が移動可能であり、内側のシリンダ面を有し、このシリンダ面に沿ってリングシールを介在させてフィーラピストンが軸方向に移動可能であり、このフィーラピストンの位置が圧着室からの戻し開口の開放横断面積を決定しており、この場合、フィーラピストンが伝動装置の入力トルクで負荷されておりかつ他方の連行面を有していると有利である。
【００２０】
別の実施例においてはフィーラピストンに、周方向に間隔をおいた複数のアームが構成され、該アームがシール保持体に構成された開口を貫通し、フィーラピストンがトルクを導入するためのスライド噛合部を備えたリング部分を有していると有利である。
【００２１】
有利であるのはシール保持体の開口が、軸に対するフィーラピストンの運動性を制限するストッパを形成していることである。
【００２２】
他の変化実施例においては、フィーラピストンが圧着室における圧力が不足した場合に伝動装置の入力トルクの作用のもとで、調節可能な円錐円板に接触させられるようにフィーラピストンが構成されていることが有利である。さらに、アームがフィーラピストンと溶接された薄板部分によって形成されていると有利である。さらに有利であることは、フィーラピストンと結合されたアームを有するリング部分が薄板部分として形成されていることである。さらにシール保持体が、調節可能な円錐円板の軸方向の移動性を制限するストッパを形成していることも有利である。
【００２３】
別の実施例においては、圧着室内の圧力で負荷されたフィーラピストンの有効面が、シール保持体と軸の外周とにおいてフィーラピストンを案内する案内によって規定されていると有利である。
【００２４】
特に有利であることは、前記案内がシール面でもあることである。
【００２５】
さらに、２つの互いに調節可能な円錐円板対−入力側と出力側の円錐円板対−を有し、円錐円板対の少なくとも１つがトルクフィーラを用いて、巻掛け手段を緊張するために負荷可能である形式の伝動装置において、トルクフィーラが転動体、例えば球を有し、転動体がトルク及び伝達比に関連した緊張力を生ぜしめる転動面と協働しており、転動体が伝達比の変化に関連して転動面に沿って移動可能であり、その際に少なくとも、円錐円板対の回転軸に対する半径方向の移動を行なうように構成されていると有利である。
【００２６】
さらに有利であることは、伝達比が変化した場合に転動体が半径方向にも軸方向にも移動するように転動面が構成されていることである。
【００２７】
さらに転動面が転動体のための乗上げランプを形成し、該乗上げランプが、伝達比に関連して転動体が移動させられる転動面の延在領域に亘って、変化する係合角を転動体に対して形成していると有利である。
【００２８】
さらにまた、トルクフィーラの転動体が球として形成され、該球がそれぞれ軸方向で向き合った、半径方向でほぼＶ字形に構成された２つの溝に受容されており、ほぼ直径方向で向き合った溝の側面が、球が位置する半径に対し、少なくともほぼ平行である接線方向の係合線を前記球のために形成していることが有利である。
【００２９】
又、転動面が半径方向で見て、伝達しようとするトルクによって転動体に半径方向の力成分が生ぜしめられるような経過を有していると有利である。
【００３０】
さらに転動面により転動体に生ぜしめられた半径方向の力成分が、この転動面によって当該転動体に生ぜしめられた軸方向の力成分に較べてきわめてわずかであると有利である。
【００３１】
さらにトルクフィーラが入力側の円錐円板対に設けられていると有利である。本発明の別の実施例においてはトルクフィーラが出力側の円錐円板対に設けられていると有利である。
【００３２】
さらに有利であることは、圧着装置として構成されたトルクフィーラが圧力媒体で負荷された調節部材、例えばピストンシリンダユニットを有し、この調節部材においてトルク及び伝達比に関連した圧力が生ぜしめられることである。
【００３３】
さらに有利であることは、トルクフィーラと協働する円錐円板対の、軸方向に移動可能な円錐円板で転動体が半径方向で案内されていることである。
【００３４】
さらに転動体の案内が個々の転動体を掴む保持器で行なわれることも有利である。
【００３５】
又、転動体の半径方向の案内が、軸方向に移動可能な円錐円板に結合された、軸方向で当該円板の回転軸線に対して円錐台である面を介して行なわれていると有利である。
【００３６】
さらに本発明では円錐台形の面の直径が軸方向で、移動可能な円錐円板に向かって拡がっていると有利である。
【００３７】
さらに又、一方の円錐円板対の両方の円板が軸に回動不能に結合されていることも有利である。
【００３８】
さらに、互いに調節可能な２つの円錐円板対−入力側と出力側の円錐円板対−を有し、一方の円錐円板対の少なくとも軸方向に移動可能な円板がピストンシリンダユニットで負荷されており、該ピストンシリンダユニットに負荷及び伝達比に関連した圧力が供給可能であり、この圧力がポンプを介して圧力媒体を供給可能なトルクフィーラから送られて来る円錐円板巻掛け伝動装置であって、トルクフィーラが少なくとも１つの圧力制御弁と転動体、例えば球と該転動体と協働する転動面とを有し、前記転動体と転動面とが負荷及び伝達比に関連した圧力を生ぜしめるために前記圧力制御弁が調節されかつ円錐円板対にトルクが伝達される形式のものにおいては、一方の円錐円板対の両方の円板が軸に回動不能に結合されており、転動体を介して、円錐円板巻掛け伝動装置により伝達しようとする全トルクが当該円錐円板対に導入されるようになっていると有利である。
【００３９】
【発明の実施の形態】
以後、本発明の実施例を略示図に基づき、さらに詳細に説明する。
【００４０】
図１には円錐円板２と４とを有する入力側の円錐円板対が示されている。この場合には円錐円板２は中空軸５と一体に構成されている。この中空軸５は軸方向に移動不能に駆動軸６に支承されている。円錐円板４はスライド噛合部７を介して中空軸５に軸方向に移動可能にかつ回動不能に結合されている。
【００４１】
円錐円板巻掛け伝動装置の別の、出力側の円錐円板対は図示されていない。
【００４２】
例えば始動クラッチを介して内燃機関と結合された駆動軸６は液圧ポンプ８を駆動する。この液圧ポンプ８はスライド弁１０を介し選択的に戻し導管１２又は導管１４と接続可能である。導管１４は円錐円板４を調節する、あとで記述する調節室に接続可能である。ポンプ８とスライド弁１０との間には圧力制限弁１５が配置されている。別の導管１６を介してはポンプ８は、円錐円板２と４にチェーンとして構成された巻掛け部材１８とに作用する圧着圧力を規定する、あとで記述する圧着室に接続されている。他方の円錐円板対の調節可能な円錐円板は同様に導管１６を介して圧力が供給される相応する圧着室を有している。
【００４３】
図１に上半分で最大の円錐円板間隔で示されかつ下半分で最小の円錐円板間隔で示されている円錐円板伝動装置の作用は公知であるのでここでは説明しない。
【００４４】
調節可能な円錐円板４と一体に構成された中空軸５の自由端部には、総じて円錐状のシール保持体２０が剛性的に結合されている。このシール保持体２０は円筒形の領域２２を有している。半径方向で外を向いた外側の円筒面に沿っては、リングシール２４が中間配置されて、円錐円板４に剛性的にかつ緊密に結合されたリング部分２５が移動可能である。半径方向で内を向いた内側の円筒面に沿っては、リングシールが中間配置されて円錐円板４のリング付加部２８が緊密に案内されている。
【００４５】
シール保持体２０の円錐状の範囲に構成された開口３０もしくはポケットを通ってアーム３２が突出しており、該アーム３２は周方向で分配されて（例えば図２では３つのアームが設けられている）、フィーラピストン３４と剛性的に結合され、例えばフィーラピストンに溶接されている。
【００４６】
全体として鉢型に構成されたフィーラピストン３４は半径方向内側の端部で中空軸５の外周に沿って軸方向に摺動可能に案内されている。フィーラピストン３４の半径方向に延びる「底」は円筒形の範囲に移行しており、この円筒形の外側は、リングシールを介して、シール保持体２０のリング付加部３６の半径方向内側を向いた、内側の円筒面に沿って移動可能に案内されている。図１において右側に示されたリング付加部３６の端面は、ほぼ半径方向に延びる、周方向に湾曲した連行面３８として構成されている。この連行面３８はほぼ半径方向に延びる、周方向に湾曲した別の連行面４０に向き合って存在している。この連行面４０はフィーラピストン３４の自由端部の折り曲げられた付加部４１に構成されている。
【００４７】
連行面３８と４０は間に転動体として役立つ球４２を受容している。この球４２はフィーラピストン３４の軸方向の位置を決定する。
【００４８】
球４２を案内するためには、調節可能な円錐円板４に構成されたリング付加部４４にコンカーブな案内面４６が構成されている。この案内面４６には、同様にコンカーブでかつ総じて傾斜して延びかつ自由端部に向かって折り曲げられた案内面４８が対応している。この案内面４８は円錐円板４に剛性的に結合された薄板成形部分５０に構成されている。
【００４９】
薄板部分として構成されたアーム３２は半径方向で外側へ向けられた端部でリング部分３３に移行している。このリング部分３３にはスライド噛合部５２が構成されており、該スライド噛合部５２はスリーブの対応するスライド噛合部５２と噛合っている。このスリーブは回転駆動された駆動軸６と噛合っている中間伝動歯車組５４の歯車と噛合っている。２つのクラッチ５５のどちらを作動するかに応じて円錐円板２と４の回転方向は変わる。
【００５０】
シール保持体２０と円錐円板４との間には、２つの圧力室、半径方向内側の圧着室５６と半径方向外側の調節室５８とが構成されている。調節室５８にはシール保持体２０に構成された孔と駆動軸６における袋孔を通して導管１４から液圧媒体が供給される。圧着室５６には液圧媒体圧力が駆動軸の軸方向の袋孔６０と軸方向孔とを介して供給される。戻し開口６２として役立つ軸方向孔は駆動軸の別の軸方向の袋孔に開口している。この軸方向の孔はリング付加部３６の内部で効果的に圧着室５６内の圧力で負荷されたフィーラピストン３４により多かれ少なかれ閉じられる。
【００５１】
球４２、リング付加部３６、フィーラピストン３４により形成された、全体として圧着室５６内に配置されたトルクフィーラの作用は以下の通りである。
【００５２】
駆動軸６から弱いトルクしか作用せず、フィーラピストン３４がアーム３２を介して、相応する弱いトルクでしか負荷されないと、フィーラピストン３４は図１で見て最も左側の位置にある。この場合、戻し開口６２として役立つ軸方向孔はフィーラピストン３４によりほとんど開放されているので、圧着室５６における圧力は低い。トルクが増大すると、フィーラピストン３４は、円錐円板４もしくは薄板成形部分５０に対して相対的に回動しようとする。この場合、薄板成形部分５０は連行面の上を転動する球４２の影響下で右へ移動し、戻し開口６２を次第に閉鎖するので、圧着室５６における圧力は増大する。
【００５３】
コンスタントなトルクで円錐円板４が右へ調節される（伝達比が小さくなる方へもしくは円錐円板伝動装置増速方向へ調節され、巻掛け手段１８が外方へ移動させられる）と、球４２は案内面４６と４８とにより半径方向内方へ移動させられる。この結果、周方向の傾斜が変化することに基づき圧着室５６における圧力が低下させられることになる。
【００５４】
シール保持体２０の開口３０はその縁部がアーム３２、ひいてはフィーラピストン３４の運動性に対するストッパを形成するように構成されていることができる。シール保持体２０の自由な端面は図１において円錐円板４が左へ移動することに対するストッパを形成する。
【００５５】
図３には袋孔６０、ひいては圧着室５６に圧力媒体が不十分にしか供給されない伝動装置の状態が示されている。開口３０は、フィーラピストン３４が図３において右へ運動することに対するストッパを形成しない。圧着室５６が無圧でかつ調節室５８が無圧である場合にフィーラピストン３４が成形面に基づき噛合部５２を介してトルクで負荷されると、フィーラピストンは右へ移動しようとする。当該構成部分は、背面に連行面４０が構成されたフィーラピストン３４の付加部４１の前面が、調節可能な円錐円板４に接触し、これにより円錐円板４が巻掛け手段１８に直接的に機械的に圧着されることが保証されるように構成されている。出力側のクラッチを有する無段階の伝動装置の場合にはこの配置が特に有利である。何故ならばモータを始動する場合には伝動装置を一緒に加速しなければならず、このためには圧着力が必要とされるからである。液圧式の圧着はこの状態ではポンプ８の搬送量がまだわずかであることに基づきほとんど可能ではない。
【００５６】
先の記述内容から判るように、本発明によっては統合されたトルクフィーラが必要とする付加的な構成部分がわずかである、きわめてコンパクトな構造の円錐円板巻掛け伝動装置が得られる。転動体もしくは球は直接的に強制案内されており、これによって特に高い運転確実性が達成される。フィーラピストン３４は伝動装置が少ない漏洩量で働くように案内されている。アーム３２の外に位置するスライド噛合部は大きな有効直径をもたらし、ひいては軸方向の移動に際し小さな摩擦力をもたらす。
【００５７】
さらに、統合されたトルクフィーラを有する、無段階に調節可能な円錐円板巻掛け伝動装置は、巻掛け手段１８が巻掛けられた、軸に回動不能に結合された２つの円錐円板対を有し、これらの円錐円板対がそれぞれ少なくとも１つの、軸方向に調節可能な円錐円板４を有しており、さらに軸方向に調節可能な円錐円板４に隣接する圧着室５６内で有効な圧力に、巻掛け伝動装置により伝達されるトルクに相応した影響を及ぼすトルクフィーラ２０，３４，４２を有しており、該トルクフィーラ２０，３４，４２が転動体４２を有し、該転動体４２が異なる、互いに相対的に移動可能な構成部分２０，３４に構成された２つの連行面３８，４０に支えられて円錐円板に作用するトルクを伝達するようになっており、前記構成部分がトルク変動に際して、連行面に沿った転動体の運動により互いに相対的に運動するようになっており、転動体４２と連行面３８，４０が圧着室５６内に配置されていることを特徴としている。これによって構造が簡単でコンパクトな円錐円板巻掛け伝動装置が得られ、この円錐円板巻掛け伝動装置において、巻掛け手段１８に対する円錐円板の圧着力がトルクと伝達比とに関連して変化するようになる。
【００５８】
もちろん、構成部分を薄板部分、鋳造部分等として構成することに関しては記述の実施例の数多くの変更が可能であり、調節室と圧着室とを負荷するための通路は他の形式で合目的的に構成することができる。
【００５９】
本願で提出した請求の範囲は起草案であり、他の特許権の保護を制限するものではない。さらに出願人はこれまで明細書本文及び／又は図面に開示してあるに過ぎない他の特徴について、特許を申請する権利を保留する。
【００６０】
従属請求項で記載した請求項の引用は、各従属請求項の特徴による独立請求項の発明の変更を表わすものであって、引用した請求項の特徴の独立した保護の達成の断念と解されるべきではない。
【００６１】
従属請求項で記載した請求項の引用は、各従属請求項の特徴による独立請求項の発明の変更を表わすものであって、引用した請求項の特徴の独立した保護の達成の断念と解されるべきではない。
【００６２】
従属請求項の対象は先行する従属請求項の対象とは無関係である独立した発明を形成するものでもある。
【００６３】
さらに本発明は明細書の実施例に限定されるものではない。むしろ、本発明の枠内で数多くの変更と修正、特に明細書全般及び実施例及び請求項に関連して記載されかつ図面に示された個々の特徴もしくは部材又は方法段階の組合せ又は変更によって発明的でありかつ組合わすことができる特徴によって新しい対象物又は新しい方法段階もしくは方法段階順序を成す変化実施例、部材及び組合せ及び／又は材料が、製造、試験及び作業方法に関しても可能である。
【図面の簡単な説明】
【図１】円錐円板巻掛け伝動装置の１部を、その液圧制御装置と共に示した縦断面図。
【図２】図１の伝動装置の１部をＩＩ−ＩＩ面で断面して示した図。
【図３】図１の伝動装置を非常運転位置で示した詳細図。
【符号の説明】
２，４  円錐円板、  ５  中空軸、  ６  駆動軸、  ７  スライド噛合部、  ８  液圧媒体ポンプ、  １０  スライド弁、  １２  戻し導管、  １４  導管、１５  圧力制限弁、  １６  導管、  １８  巻掛け手段、  ２０  シール保持体、  ２２  円筒領域、  ２４  リングシール、  ２５  リング部分、  ２６  円筒面、  ２８  リング付加部、  ３０  開口、  ３２  アーム、  ３３  リング部分、  ３４  フィーラピストン、  ３６  リング付加部、  ３８  連行面、４０  連行面、  ４１  付加部、  ４２  球、  ４４  リング付加部、  ４６案内面、  ４８  案内面、  ５０  薄板成形部分、  ５２  スライド噛合部、５４  中間伝動歯車組、  ５５  クラッチ、  ５６  圧着室、  ５８  調節室、  ６０  袋孔、  ６２  戻し開口
【図１】
0004697619.tif 000002
【図２】
0004697619.tif 000003
【図３】
0004697619.tif 000004